(57)【要約】【課題】組立時の作業性を向上させることができる計器を提供する。【解決手段】スイッチを有する基板９と、基板９に取り付けられ、前面３１ｂと、基板９に対向する背面３１ａと、貫通孔３１ｃと、貫通孔３１ｃの背面３１ａ側に設けられ貫通孔３１ｃの周縁から中心に向う方向に突出した突起３１ｄと、を有するケース３１と、貫通孔３１ｃに挿入されて基板９に取り付けられ、基板９に固定される基部４５を有する軸４１と、軸４１に設けられた第１の鍔４２と、軸４１の第１の鍔４２より基部４５側に設けられ切欠４３ａを有する第２の鍔４３と、を有するノブ１０と、を備える。突起３１ｄは、ノブ１０が背面３１ａ側から前面３１ｂ側へ挿入される場合第１の鍔４２と接触して基板９への取付を阻害し、ノブ１０が前面３１ｂ側から背面３１ａ側へ挿入される場合切欠４３ａにおける第２の鍔４３と接触せず基板９への取付を可能とする。【選択図】図６
2019011958.tif 000002
【特許請求の範囲】
【請求項１】
スイッチを有する基板と、
前記基板に取り付けられ、前面と、前記基板に対向する背面と、貫通孔と、前記貫通孔の前記背面側に設けられ前記貫通孔の周縁から中心に向う方向に突出した突起と、を有するケースと、
前記貫通孔に挿入されて前記基板に取り付けられ、前記基板に固定される基部を有する軸と、前記軸に設けられた第１の鍔と、前記軸の前記第１の鍔より前記基部側に設けられ切欠を有する第２の鍔と、を有するノブと、を備え、
前記突起は、前記ノブが前記背面側から前記前面側へ挿入される場合前記第１の鍔と接触して前記基板への取付を阻害し、前記ノブが前記前面側から前記背面側へ挿入される場合前記切欠における前記第２の鍔と接触せず前記基板への取付を可能とする計器。
【請求項２】
前記突起は、前記前面から前記背面の方向に高さが高くなるよう傾斜している請求項１記載の計器。
【請求項３】
前記第１の鍔は、前記貫通孔における前記ケースより前記背面側の部材を遮蔽する請求項１または２記載の計器。
【発明の詳細な説明】
【技術分野】
【０００１】
本発明は、車両などに搭載される計器に関する。
【背景技術】
【０００２】
自動車やオートバイなどの車両には、速度計、回転計、および必要な情報をデジタル表示する液晶表示装置などを有する計器が搭載されている。計器は、棒状のノブを有しており、表示の切替や、リセットなどのユーザの指示をノブを介して受け付ける。ノブの操作は回路基板上のスイッチに伝わることで、指示が実行される。
【先行技術文献】
【特許文献】
【０００３】
【特許文献１】特開２０１２−５９３７７号公報
【発明の概要】
【発明が解決しようとする課題】
【０００４】
ノブは、回路基板に取り付けられている。また、回路基板は、ケースなどの部材に覆われているため、このケースなどの部材にはノブが貫通するための貫通孔が設けられている。
【０００５】
ここで、回路基板にノブを取り付けた後にケースなどの部材を回路基板に取り付ける場合、棒状のノブを貫通孔に挿入する工程を経て、ケースなどの部材を回路基板に取り付けることになる。しかし、貫通孔挿入時においてノブがケースに接触することによりノブが移動し、このノブがスイッチなどの回路基板上の素子に接触し、破損させてしまう恐れがあった。
【０００６】
本発明はこのような事情を考慮してなされたもので、組立時の作業性を向上させることができる計器を提供することを目的とする。
【課題を解決するための手段】
【０００７】
本発明に係る計器は、上述した課題を解決するために、スイッチを有する基板と、前記基板に取り付けられ、前面と、前記基板に対向する背面と、貫通孔と、前記貫通孔の前記背面側に設けられ前記貫通孔の周縁から中心に向う方向に突出した突起と、を有するケースと、前記貫通孔に挿入されて前記基板に取り付けられ、前記基板に固定される基部を有する軸と、前記軸に設けられた第１の鍔と、前記軸の前記第１の鍔より前記基部側に設けられ切欠を有する第２の鍔と、を有するノブと、を備え、前記突起は、前記ノブが前記背面側から前記前面側へ挿入される場合前記第１の鍔と接触して前記基板への取付を阻害し、前記ノブが前記前面側から前記背面側へ挿入される場合前記切欠における前記第２の鍔と接触せず前記基板への取付を可能とする。
【発明の効果】
【０００８】
本発明に係る計器においては、組立時の作業性を向上させることができる。
【図面の簡単な説明】
【０００９】
【図１】本発明に係る計器の実施形態であり、全体構成を説明する斜視図。
【図２】図１の計器の分解斜視図。
【図３】中ケースの拡大斜視図。
【図４】ノブの拡大斜視図。
【図５】回路基板に取り付けられたノブおよび中ケースの平面図。
【図６】図５のVI-VI線に沿う縦断面図。
【発明を実施するための形態】
【００１０】
本発明に係る計器の実施形態を添付図面に基づいて説明する。本発明に係る計器は、例えば自動車やオートバイなどの車両や、船舶、農業機械に搭載される。本実施形態においては、本発明に係る計器が自動車に搭載される例を用いて説明する。
【００１１】
図１は、本発明に係る計器の実施形態であり、全体構成を説明する斜視図である。
【００１２】
図２は、図１の計器１の分解斜視図である。
【００１３】
図３は、中ケース３１の拡大斜視図である。
【００１４】
図４は、ノブ１０の拡大斜視図である。
【００１５】
以下の説明において、「前面側」は図１における手前側を意味し、「背面側」は図１における奥側を意味する。
【００１６】
計器１は、速度計２と、回転計３と、液晶表示装置４と、を有している。液晶表示装置４は、速度計２と回転計３とに挟まれるよう、配置されている。
【００１７】
速度計２および回転計３は、指針１１と、文字板１２と、装飾部材１３と、を有している。指針１１（図２においては省略）は、指針軸を軸芯として回転する。文字板１２は、例えば一枚の薄板であり、指針１１によって指示される指標１６を有する。文字板１２は、指針１１の背面側に設けられ、目盛、文字、記号などである。装飾部材１３は、指針１１の作動領域を取り巻くように文字板１２の前面側に設けられる。装飾部材１３は、例えばリング形状からなる合成樹脂である。装飾部材１３の表面は、装飾性を高めるために、金属調の鏡面光沢を有している。光沢は、例えばクロームメッキなどのメッキにより付与される。
【００１８】
液晶表示装置４（以下単に「表示装置４」という）は、例えば一対のガラス基板間に液晶分子を封入した液晶表示素子からなる。液晶表示素子の端部には、フレキシブルプリント基板２２と電気的に接続される複数の電極端子が設けられている。
【００１９】
計器１は、ケース６と、バイザー７と、カバープレート８と、回路基板９と、ノブ１０と、をさらに有している。
【００２０】
ケース６は、中ケース３１と、外ケース３２と、を有している。中ケース３１の前面側には、文字板１２、装飾部材１３、指針１１、およびバイザー７が配置されている。中ケース３１の背面３１ａ（図６）側には、表示装置４、回路基板９、および外ケース３２が配置されている。中ケース３１は、背面３１ａ側が対向するように回路基板９に取り付けられている。また、中ケース３１は、貫通孔３１ｃと、突起３１ｄと、を有している。貫通孔３１ｃは、ノブ１０の軸４１が貫通している。突起３１ｄは、貫通孔３１ｃの背面３１ａ側に設けられている。突起３１ｄは、貫通孔３１ｃの周縁から貫通孔３１ｃの中心に向う方向に突出している。突起３１ｄは、ノブ１０が背面３１ａ側から前面３１ｂ側へ挿入される場合、第１の鍔４２（後述）と接触して回路基板９への取付を阻害する。突起３１ｄは、ノブ１０が前面３１ｂ側から背面３１ａ側へ挿入される場合、切欠４３ａにおける第２の鍔４３（後述）と接触せず回路基板９への取付を可能とする。突起３１ｄは、中ケース３１の前面３１ｂから背面３１ａの方向に高さが高くなるよう傾斜している。外ケース３２は、計器１の背面側から回路基板９を覆って中ケース３１に固定されている。
【００２１】
バイザー７は、文字板１２の周りとケース６との隙間部分を目隠しする。カバープレート８は、例えば透明な合成樹脂からなる。カバープレート８は、速度計２、回転計３、および表示装置４に塵埃などが入らないようにバイザー７の開口７ａを覆っている。
【００２２】
回路基板９は、例えばガラスエポキシ系材料からなる硬質の基板である。回路基板９は、フレキシブルプリント基板２２を介して表示装置４のガラス基板の各電極端子と電気的に接続される。回路基板９は、指標１６を透過照明したり、液晶表示素子などを透過照明したりするための光源を有している。また、回路基板９は、回路基板９の前面に設けられた押下式の前面スイッチと、背面に設けられた回転式の背面スイッチと、を有している（ともに図示せず）。これらスイッチは、押下または回転されることにより、メータをリセットしたり、表示内容を切り替えたり、輝度を調整したりする処理を実行する。
【００２３】
ノブ１０は、棒形状の不透明な樹脂からなる。ノブ１０は、中ケース３１の貫通孔３１ｃと、文字板１２、バイザー７およびカバープレート８の貫通孔とに挿入されて、回路基板９に回転および押下可能に取り付けられている。ノブ１０は、軸４１と、第１の鍔４２と、第２の鍔４３と、を有している。軸４１は、棒状部材であり、一端側に回路基板９に固定される基部４５と、他端側にユーザにより操作される操作部４６と、を有している。第１の鍔４２は、軸４１に設けられている鍔状の部材である。第１の鍔４２は、貫通孔３１ｃにおける中ケース３１より背面側の部材、すなわち回路基板９を遮蔽する。第２の鍔４３は、軸４１の第１の鍔４２より基部４５側の軸４１に設けられている鍔状の部材である。第２の鍔４３は、切欠４３ａを有している。また、ノブ１０は、フック４７と、前面スイッチ操作部４８と、背面スイッチ操作部４９と、を有している。フック４７、前面スイッチ操作部４８、および背面スイッチ操作部４９は、第２の鍔４３に設けられている。フック４７は、回路基板９に引っ掛かり、ノブ１０を回路基板９に固定する。前面スイッチ操作部４８は、回路基板９の前面スイッチを押下する。背面スイッチ操作部４９は、回路基板９の背面スイッチを回転させる。これらスイッチ操作部４８、４９は、さらにノブ１０は、ユーザによるノブ１０の押下を押し戻すバネ５０（図６）を有している。
【００２４】
次に、回路基板９に対するノブ１０および中ケース３１を取り付ける際の、本実施形態における計器１の作用について説明する。
【００２５】
図５は、回路基板９に取り付けられたノブ１０および中ケース３１の平面図である。
【００２６】
図６は、図５のVI-VI線に沿う断面図である。
【００２７】
まず、回路基板９に中ケース３１が取り付けられる。次に、中ケース３１の前面３１ｂ側から、ノブ１０の基部４５が貫通孔３１ｃに挿入される。このとき、ノブ１０は、第２の鍔４３の切欠４３ａの位置が突起３１ｄの位置に合わせられて挿入される。このため、ノブ１０の挿入を突起３１ｄが阻害することがない。また、突起３１ｄは前面３１ｂから背面３１ａの方向に高さが高くなるよう傾斜している。このため、第２の鍔４３が突起３１ｄに引っ掛かることなくスムーズに挿入作業を行うことができる。ノブ１０のフック４７は、回路基板９の孔９ａに押し込まれることにより引っ掛かる。これにより、ノブ１０は、回転および押下可能に回路基板９に固定される。
【００２８】
ここで、本実施形態における計器１は、中ケース３１が回路基板９に取り付けられた後に、ノブ１０が回路基板９に取り付けられるよう、組立手順が規制されている。すなわち、ノブ１０は、中ケース３１の前面３１ｂ側からのみ挿入可能であり、背面３１ａ側からは挿入が阻害されるようになっている。ノブ１０が回路基板９に取り付けられた後に、中ケース３１が回路基板９に取り付けられると、ノブ１０が中ケース３１に接触することによりぐらついたり移動したりして、回路基板９上のスイッチなどの素子を破損してしまう恐れがあるためである。
【００２９】
組立手順の規制は、ノブ１０が第１の鍔４２および第２の鍔４３を有し、また中ケース３１が突起３１ｄを有することにより、実現されている。具体的には、ノブ１０が中ケース３１の背面３１ａ側から挿入される場合、すなわち、ノブ１０が回路基板９に取り付けられた後に中ケース３１が回路基板９に取り付けられる場合、突起３１ｄは第１の鍔４２と接触して回路基板９への取付を阻害する。一方、ノブ１０が中ケース３１の前面３１ｂ側から挿入される場合、すなわち、中ケース３１が回路基板９に取り付けられた後にノブ１０が回路基板９に取り付けられる場合、第２の鍔４３には切欠４３ａが設けられているため、突起３１ｄは切欠４３ａにおける第２の鍔４３と接触せず回路基板９への取付を可能とする。
【００３０】
これにより、組立作業者は、正しい組立手順を直感的に理解することができ、誤った組立手順に起因する回路基板９上の素子の破損を防止することができる。ゆえに、本実施形態における計器１は、組立時の作業性を向上させることができる。
【００３１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３２】
１  計器
２  速度計
３  回転計
４  液晶表示装置（表示装置）
６  ケース
７  バイザー
７ａ  開口
８  カバープレート
９  回路基板
９ａ  孔
１０  ノブ
１１  指針
１２  文字板
１３  装飾部材
１６  指標
２２  フレキシブルプリント基板
３１  中ケース
３１ａ  背面
３１ｂ  前面
３１ｃ  貫通孔
３１ｄ  突起
３２  外ケース
４１  軸
４２  第１の鍔
４３  第２の鍔
４３ａ  切欠
４５  基部
４６  操作部
４７  フック
４８  前面スイッチ操作部
４９  背面スイッチ操作部
５０  バネ
【図１】
2019011958.tif 000003
【図２】
2019011958.tif 000004
【図３】
2019011958.tif 000005
【図４】
2019011958.tif 000006
【図５】
2019011958.tif 000007
【図６】
2019011958.tif 000008